(57)【要約】  【課題】      バストを持ち上げながら体の中央部へ寄せることのできるブラジャーを提供する。  【解決手段】  ブラジャー１０は、左右のバストに対応する２つのカップ部１２と、カップ部１２のそれぞれの下部外周縁に設けられたワイヤーループ１４と、ワイヤーループ１４内に挿入されたワイヤー１６と、カップ部１２のそれぞれの下部外周縁から延びて形成された２つのサイドパネル１８とを備えており、一方のカップ部１２に対応するワイヤーループ１４と他方のカップ部１２に対応するワイヤーループ１４とが切れ目なく連続している。したがって、ワイヤーループ１４の中央部を中心Ｐとして２つのカップ部１２を互いに近接する方向へ回動させることができる。【選択図】      図１
2005105460.tif 000002
【特許請求の範囲】
【請求項１】
左右のバストに対応する２つのカップ部と、前記カップ部のそれぞれの下部外周縁に設けられたワイヤーループと、前記ワイヤーループ内に挿入されたワイヤーと、前記カップ部のそれぞれの下部外周縁から延びて形成された２つのサイドパネルとを備える、ブラジャーにおいて、
一方のカップ部に対応するワイヤーループと他方のカップ部に対応するワイヤーループとが切れ目なく連続的に形成されていることを特徴とする、ブラジャー。
【請求項２】
前記２つのサイドパネルは、前記カップ部のそれぞれの頂点を通過する直線に対して斜め下方へ傾斜するように「ハ」字状に形成されている、請求項１に記載のブラジャー。
【請求項３】
前記カップ部の裏面には、前記カップ部どうしの連結部側に挿入口を有するパッド収容部が形成されている、請求項１または２に記載のブラジャー。
【発明の詳細な説明】
【技術分野】
【０００１】
本発明は、バストアップを図ることのできる、ブラジャーに関する。
【背景技術】
【０００２】
この種のブラジャーの一例が、特開平８−２１８２０６号公報（特許文献１）に開示されている。この従来技術は、図５に示すように、カップ部１の下部外周縁に装着されたワイヤー２でバストを持ち上げるとともに、パッド収容部３に挿入されたパッド４でバストの形を整えるようにしたものである。
【特許文献１】特開平８−２１８２０６号
【発明の開示】
【発明が解決しようとする課題】
【０００３】
上述の従来技術では、ワイヤー２によってバストを持ち上げることができるものの、バストを体の中央部へ寄せることはできなかった。また、パッド収容部３の挿入口３ａ（図５）がカップ部１の脇側に形成されていたので、パッド収容部３にパッド４を挿入する際には、パッド４をカップ部１どうしの連結部側（すなわち胸の谷間側）に押し込むことになり、このパッド４がバストを体の中央部へ寄せる妨げになっていた。
【０００４】
それゆえに、この発明の主たる目的は、バストを持ち上げるとともに体の中央部へ寄せることのできる、ブラジャーを提供することである。
【課題を解決するための手段】
【０００５】
請求項１に記載した発明は、「左右のバストに対応する２つのカップ部１２と、カップ部１２のそれぞれの下部外周縁に設けられたワイヤーループ１４と、ワイヤーループ１４内に挿入されたワイヤー１６と、カップ部１２のそれぞれの下部外周縁から延びて形成された２つのサイドパネル１８とを備える、ブラジャー１０において、一方のカップ部１２に対応するワイヤーループ１４と他方のカップ部１２に対応するワイヤーループ１４とが切れ目なく連続的に形成されていることを特徴とする、ブラジャー１０」である。
【０００６】
この発明では、カップ部１２のそれぞれに対応するワイヤーループ１４が切れ目なく連続的に形成されているので、ワイヤーループ１４の中央部を中心Ｐとして２つのカップ部１２を互いに近接する方向へ回動させることができる。つまり、左右のバストを持ち上げながら体の中央部へ寄せることができる。
【０００７】
請求項２に記載した発明は、請求項１に従属する「ブラジャー」において、「２つのサイドパネル１８は、カップ部１２のそれぞれの頂点を通過する直線Ｌに対して斜め下方へ傾斜するように「ハ」字状に形成されている」ことを特徴とする。
【０００８】
この発明では、２つのサイドパネル１８が「ハ」字状に形成されているので、ブラジャー１０を装着する際には、ワイヤーループ１４の中央部を「支点Ｐ」とし、サイドパネル１８の先端を「力点」とし、カップ部１２を「作用点」とする「テコ」を構成することができ、この「テコ」の作用によってバストを持ち上げながら中央部へ寄せることができる。
【０００９】
請求項３に記載した発明は、請求項１または２に従属する「ブラジャー」において、「カップ部１２の裏面には、カップ部１２どうしの連結部側に挿入口２８を有するパッド収容部３０が形成されている」ことを特徴とする。
【００１０】
この発明では、パッド収容部３０の挿入口２８がカップ部１２どうしの連結部側に設けられているので、パッド収容部３０にパッド３２を挿入する際には、パッド３２がパッド収容部３０の奥部すなわちカップ部１２の脇側へ押し込まれる。したがって、バストの脇側部分をパッド３２で支持することによって、バスト全体を体の中央部へ寄せることができる。
【発明の効果】
【００１１】
請求項１〜３に記載した発明によれば、ワイヤーループの中央部を中心として２つのカップ部を互いに近接する方向へ回動させることによって、バストを持ち上げながら中央部へ寄せることができる。
【００１２】
請求項２に記載した発明によれば、サイドパネルを「テコの腕」として機能させることができ、「テコ」の作用によってバストを持ち上げながら中央部へ寄せることができる。
【００１３】
請求項３に記載した発明によれば、パッドによってバストの脇側部分を支持することができるので、バストアップ効果をより高めることができる。
【発明を実施するための最良の形態】
【００１４】
図１〜図３を参照して、本発明が適用されたブラジャー１０は、２つのカップ部１２，１本のワイヤーループ１４，２本のワイヤ−１６，２つのサイドパネル１８および２本の肩紐２０によって構成されている。
【００１５】
各カップ部１２は、左右のバストを包み込むものであり、上カップ布２２，脇カップ布２４および下カップ布２６の３枚の布を縫着することによって構成されている。そして、各カップ部１２の裏面には、カップ部１２どうしの連結部側に挿入口２８（図２）を有するパッド収容部３０が形成されており、各パッド収容部３０には、所定の厚みを有するパッド３２が着脱自在に挿入されている。
【００１６】
ワイヤーループ１４は、バストの形状を保持するためのワイヤー１６（図３）を収納する紐状の部材であり、カップ部１２のそれぞれの下部外周縁に一体的に設けられている。一方のカップ部１２に対応するワイヤーループ１４と他方のカップ部１２に対応するワイヤーループ１４とは、厚手の布地によって切れ目なく連続的に形成されており、このワイヤーループ１４が２つのカップ部１２を連結する機能を果たしている。そして、このワイヤーループ１４における各カップ部１２に対応する部分にワイヤー１６が収納されている。したがって、２つのカップ部１２は、ワイヤーループ１４の中央部を中心Ｐ（図１，図４）として回動自在である。
【００１７】
なお、ワイヤーループ１４の材料としては、一般に金属（鉄，ステンレススチール，アモルファス合金，形状記憶合金）または合成樹脂（ポリカーボネート，ＰＰＳ，ＰＥＴ）が用いられるが、バストの形状を保持しうる強度と柔軟性があれば、他の材料が用いられてもよい。
【００１８】
各サイドパネル１８は、伸縮性の繊維素材によって形成された帯状部材であり、各サイドパネル１８の一端は、各カップ部１２の下端部外周縁の脇側部分に縫着されている。つまり、各サイドパネル１８は、カップ部１２のそれぞれの頂点を通過する直線Ｌに対して斜め下方へ傾斜するように「ハ」字状に形成されている。そして、一方のサイドパネル１８の先端部には、係止具３４が形成されており、他方のサイドパネル１８の先端部には、係止具３４に係止されるフック３６が形成されている。
【００１９】
各肩紐２０は、各カップ部１２および各サイドパネル１８の位置ずれを防止するものであり、各肩紐２０の一端が各カップ部１２の上端部に接続されており、他端が背中側に位置するサイドパネル１８の上端縁に接続されている。
【００２０】
ブラジャー１０を装着する際には、まず、各カップ部１２の裏面に形成されたパッド収容部３０に挿入口２８からパッド３２を挿入する（図２）。このとき、挿入口２８はカップ部１２どうしの連結部側に形成されているので、パッド３２はカップ部１２の脇側へ押し込まれることになる。パッド３２の装着が完了すると、図４に示すように、各カップ部１２を左右のバストに被せた後、係止具３４にフック３６を係止してサイドパネル１８どうしを連結する。
【００２１】
サイドパネル１８どうしを連結する際には、ワイヤーループ１４の中央部を中心Ｐ（図１）として２つのカップ部１２が互いに近接する方向（図１，図４中の矢印方向）へ回動され、左右のバストが持ち上げられるとともに体の中央部へ寄せられる。つまり、ブラジャー１０においては、サイドパネル１８を「腕」とし、ワイヤーループ１４の中央部を「支点Ｐ」とし、サイドパネル１８の先端を「力点」とし、カップ部１２を「作用点」とする「テコ」が構成されることになり、この「テコ」によってバストが持ち上げられながら体の中央部へ寄せられる。
【００２２】
この実施例によれば、ブラジャー１０の装着時に、バストを持ち上げながら体の中央部へ寄せることができるので、簡単かつ確実にバストアップを図ることができる。また、カップ部１２の脇側へパッド３２を配置することができるので、バストの脇側部分をパッド３２で支持することができ、「テコ」の作用と相俟って高いバストアップ効果を得ることができる。
【図面の簡単な説明】
【００２３】
【図１】ブラジャーを示す正面図である。
【図２】ブラジャーを示す背面図である。
【図３】ワイヤーループおよびワイヤーを示す拡大図である。
【図４】ブラジャーの使用状態を示す斜視図である。
【図５】従来技術を示す正面図である。
【符号の説明】
【００２４】
１０  ブラジャー
１２  カップ部
１４  ワイヤーループ
１６  ワイヤー
１８  サイドパネル
２０  肩紐
２２  上カップ布
２４  脇カップ布
２６  下カップ布
２８  挿入口
３０  パッド収容部
３２  パッド
３４  係止具
３６  フック
【図１】
2005105460.tif 000003
【図２】
2005105460.tif 000004
【図３】
2005105460.tif 000005
【図４】
2005105460.tif 000006
【図５】
2005105460.tif 000007